(57)【要約】【課題】光ディスクに高速記録を行う際に発生する記録マークの歪みを防止し、記録性能を向上させる。【解決手段】記録パルス信号は、記録マーク２０１を形成するマーク期間と記録マークを形成しないスペース期間とを含み、マーク期間は、第１の記録パワーＰｗを有するトップパルス１０１と、第１の記録パワーＰｗより低いバイアスパワーＰｍを有しトップパルス１０１に続くバイアスパルス１０２と、第１の記録パワーＰｗより低い第２の記録パワーＰｌを有しバイアスパルス１０２に続くラストパルス１０３とを含む。【選択図】図２
2012069215.tif 000002
【特許請求の範囲】
【請求項１】
光ディスクにレーザ光を照射して情報に応じた記録マークを形成する光ディスク装置において、
レーザ光源を有し光ディスクにレーザ光を照射する光ピックアップと、
前記情報に基づいて記録パルス信号を生成するパルス生成回路と、
前記記録パルス信号に基づいて前記レーザ光源の発光パワーを制御するレーザパワー制御回路とを備え、
前記記録パルス信号は、前記記録マークを形成するマーク期間と前記記録マークを形成しないスペース期間とを含み、
前記マーク期間は、
第１の記録パワーＰｗを有するトップパルスと、
該第１の記録パワーＰｗより低いバイアスパワーＰｍを有し前記トップパルスに続くバイアスパルスと、
該第１の記録パワーＰｗより低い第２の記録パワーＰｌを有し前記バイアスパルスに続くラストパルスと、を含むことを特徴とする光ディスク装置。
【請求項２】
請求項１に記載の光ディスク装置において、
前記ラストパルスの第２の記録パワーＰｌは、前記バイアスパルスのバイアスパワーＰｍよりも低いことを特徴とする光ディスク装置。
【請求項３】
光ディスクにレーザ光を照射して情報に応じた記録マークを形成する情報記録方法において、
前記情報に基づいて記録パルス信号を生成するステップと、
該記録パルス信号に基づいてレーザ光源を駆動して前記光ディスクにレーザ光を照射するステップとを備え、
前記記録パルス信号は、前記記録マークを形成するマーク期間と前記記録マークを形成しないスペース期間とを含み、
前記マーク期間は、
第１の記録パワーＰｗを有するトップパルスと、
該第１の記録パワーＰｗより低いバイアスパワーＰｍを有し前記トップパルスに続くバイアスパルスと、
該第１の記録パワーＰｗより低い第２の記録パワーＰｌを有し前記バイアスパルスに続くラストパルスと、を含むことを特徴とする情報記録方法。
【請求項４】
請求項３に記載の情報記録方法において、
前記ラストパルスの第２の記録パワーＰｌは、前記バイアスパルスのバイアスパワーＰｍよりも低いことを特徴とする情報記録方法。
【請求項５】
請求項３に記載の情報記録方法において、
前記記録パルス信号は、クロック長Ｔを基準として２Ｔから９Ｔの長さのマーク期間とスペース期間を含むとき、
長さ４Ｔ以下のマーク期間については、前記トップパルスのみ、あるいは前記トップパルスと前記バイアスパルスの組合せとし、
長さ５Ｔ以上のマーク期間については、前記トップパルス、前記バイアスパルス及び前記ラストパルスを組合せることを特徴とする情報記録方法。
【請求項６】
請求項３ないし５のいずれか１項に記載の情報記録方法において、
前記マーク期間の後端部に、再生パワー相当のボトムパワーＰｂを有するクーリングパルスを含むことを特徴とする情報記録方法。
【請求項７】
レーザ光を照射して情報を記録する光ディスクにおいて、
前記情報に応じた記録マークを形成するために、トップパルスと、該トップパルスに続くバイアスパルスと、該バイアスパルスに続くラストパルスを含む記録パルス信号を用いるとき、
前記トップパルスに対する第１の記録パワーＰｗと、
該第１の記録パワーＰｗより低い前記バイアスパルスに対するバイアスパワーＰｍと、
該第１の記録パワーＰｗより低い前記ラストパルスに対する第２の記録パワーＰｌの各パワー値を、当該光ディスクの管理情報として格納していることを特徴とする光ディスク。
【発明の詳細な説明】
【技術分野】
【０００１】
本発明は、光ディスクにレーザ光を照射して情報を記録する光ディスク装置、情報記録方法及び光ディスクに係り、特に高速記録に好適な記録技術に関する。
【背景技術】
【０００２】
情報の記録再生が可能な情報記録媒体として光ディスクがある。１回だけの書き込みが可能な光ディスクとしては、ＣＤ−Ｒ、ＤＶＤ−Ｒ、＋Ｒ、ＢＤ−Ｒなどがある。多数回の書き込み、書き換えが可能な光ディスクとして、ＣＤ−ＲＷ、ＤＶＤ−ＲＡＭ、ＤＶＤ−ＲＷ、＋ＲＷ、ＢＤ−ＲＥなどが挙げられる。特に大容量の記録媒体として、青色レーザを用いるＢＤ（Ｂｌｕ−ｒａｙ  Ｄｉｓc）では、１２ｃｍ径ディスクで記録層一層あたり２５ＧＢのデータを記録することが可能となっている。また、高密度記録のためのデータ変調方式として、ＢＤでは基準クロック長１Ｔに対し、２Ｔから９Ｔまでのレングス長の変調方式が採用されている。
【０００３】
光ディスクに情報を記録する場合、情報を２Ｔから９Ｔのデータ長を組み合わせたデータ列に変換し、データ列に対応した記録マークを形成することになる。そして、１つの記録マークを１つのレーザパルスで形成するのではなく、複数の短いパルスを含むパルス列により形成する方法が用いられている。この手法は記録ストラテジーとも呼ばれ、光ディスクの記録面の熱蓄積を抑え、記録マークの形状を改善する効果がある。
【０００４】
記録ストラテジーには次の２つの方式が知られている。
（１）マルチパルス型の記録パルスは、記録データ長が長くなるのに従い、記録パルス数を増やしていく形で構成される。例えば、３Ｔを記録する場合は２パルス、４Ｔを記録する場合は３パルスといった具合である。そして、先頭のパルスはトップパルス、中間のパルスはマルチパルス、最後のパルスはラストパルスと呼ばれる。特にＢＤ−Ｒのような一度だけ書き込み可能な光ディスクの場合は、先頭のトップパルスは熱エネルギーを十分に投入するため他のパルスよりもパルス長を長くし、後続のマルチパルス及びラストパルスは投入された熱エネルギーを持続する程度に設定される。
【０００５】
（２）キャッスル型の記録パルスは、トップパルス、バイアスパルス（中間パルスとも呼ばれる）、及びラストパルスの順にパルスが連続する構成である。先頭のトップパルスは所定の記録パワーを有し、バイアスパルスはトップパルスよりもパワーを低くし、ラストパルスは再びトップパルスと等しいパワーとする。中間のバイアスパルスは、熱エネルギーを持続させるための区間である。キャッスル型では記録パルスの立ち上がり時間と立下り時間を短縮できるので、記録波形の劣化が少なく、ＢＤ−Ｒ等の高速記録に適している。
このような記録ストラテジーについては、例えば特許文献１に記載されている。
【先行技術文献】
【特許文献】
【０００６】
【特許文献１】特開２００３−８５７５３号公報
【発明の概要】
【発明が解決しようとする課題】
【０００７】
光ディスクに高速記録を行う上で、次の課題が挙げられる。例えばＢＤの８倍速記録の場合、記録周波数は約５２８ＭＨｚでありクロック長１Ｔは約１．９ｎｓとなる。このような記録周波数のもとで記録パルスをマルチパルス型で構成する場合、比較的余裕のあるデューティー５０％の記録波形でもパルス幅が１ｎｓを下回り、安定した記録パルス（波形の立ち上がり、立下り特性）を生成することが困難となる。一方、記録パルスをキャッスル型で構成する場合、記録マークの後端部はラストパルスによる記録パワーが印加される。高速記録の場合、ラストパルスによる記録パワーが過剰となり記録マークの歪みが生じ易くなる。また、後続のスペース部分への熱拡散も大きくなり、その結果、高速記録時の記録品質を劣化させてしまう。
【０００８】
本発明の目的は、光ディスクに高速記録を行う際に発生する記録マークの歪みを防止し、記録性能を向上させる光ディスク装置、情報記録方法及び光ディスクを提供することである。
【課題を解決するための手段】
【０００９】
本発明の光ディスク装置は、レーザ光源を有し光ディスクにレーザ光を照射する光ピックアップと、記録する情報に基づいて記録パルス信号を生成するパルス生成回路と、記録パルス信号に基づいてレーザ光源の発光パワーを制御するレーザパワー制御回路とを備える。記録パルス信号は、記録マークを形成するマーク期間と記録マークを形成しないスペース期間とを含み、マーク期間は、第１の記録パワーＰｗを有するトップパルスと、第１の記録パワーＰｗより低いバイアスパワーＰｍを有しトップパルスに続くバイアスパルスと、第１の記録パワーＰｗより低い第２の記録パワーＰｌを有しバイアスパルスに続くラストパルスとを含む。
【００１０】
本発明の情報記録方法は、記録する情報に基づいて記録パルス信号を生成するステップと、記録パルス信号に基づいてレーザ光源を駆動して光ディスクにレーザ光を照射するステップとを備え、記録パルス信号は、記録マークを形成するマーク期間と記録マークを形成しないスペース期間とを含み、マーク期間は、第１の記録パワーＰｗを有するトップパルスと、第１の記録パワーＰｗより低いバイアスパワーＰｍを有しトップパルスに続くバイアスパルスと、第１の記録パワーＰｗより低い第２の記録パワーＰｌを有しバイアスパルスに続くラストパルスとを含む。
【００１１】
さらに、前記ラストパルスの第２の記録パワーＰｌは、前記バイアスパルスのバイアスパワーＰｍよりも低くする。
【００１２】
また前記記録パルス信号は、クロック長Ｔを基準として２Ｔから９Ｔの長さのマーク期間とスペース期間を含むとき、長さ４Ｔ以下のマーク期間については、トップパルスのみ、あるいはトップパルスとバイアスパルスの組合せとし、長さ５Ｔ以上のマーク期間については、トップパルス、バイアスパルス及びラストパルスを組合せる。
【００１３】
本発明の光ディスクは、記録する情報に応じた記録マークを形成するために、トップパルスと、トップパルスに続くバイアスパルスと、バイアスパルスに続くラストパルスを含む記録パルス信号を用いるとき、トップパルスに対する第１の記録パワーＰｗと、第１の記録パワーＰｗより低いバイアスパルスに対するバイアスパワーＰｍと、第１の記録パワーＰｗより低いラストパルスに対する第２の記録パワーＰｌの各パワー値を、当該光ディスクの管理情報として格納する。
【発明の効果】
【００１４】
本発明によれば、高速記録を行う際に発生する記録マークの歪みを防止し、安定した記録性能を実現することができる。
【図面の簡単な説明】
【００１５】
【図１】本発明に係る光ディスク装置の一実施例を示すブロック図。
【図２】本発明における記録パルス信号の第１の実施例を示す図。
【図３】高速記録した記録マーク部分の再生波形の例を示す図。
【図４】高速記録した記録スペース部分の再生波形の例を示す図。
【図５】本発明における記録パルス信号の第２の実施例を示す図。
【図６】本発明における記録パルス信号の第３の実施例を示す図。
【図７】光ディスクに格納する記録パルスのパラメータ情報の一例を示す図。
【発明を実施するための形態】
【００１６】
以下、図面を参照して本発明の実施の形態を説明する。
図１は、本発明に係る光ディスク装置の一実施例を示すブロック図である。光ディスク装置は、光ディスク３にレーザ光を照射する光ピックアップ６、再生信号を処理する再生信号処理部１、記録信号を処理する記録信号処理部２を備える。光ディスク３はスピンドルモータ４に固定され、回転制御回路５により所望の速度で回転される。光ピックアップ６は、レーザ光源（ＬＤ）７、集光用レンズ８、ビームスプリッタ９、光検出器１０を有する。再生信号処理部１は、波形等化回路１１、二値化回路１２、ＰＬＬ（Phase Lock Loop）１３、復調回路１４を有する。記録信号処理部２は、記録データ生成回路１６、パルス生成回路１７、レーザパワー制御回路１８、レーザ駆動回路１９を有する。マイコン（コントローラ）１５は装置全体を制御し、光ディスク３に対して情報の読み出しと書き込みを行う。
【００１７】
情報の記録時は、記録データ生成回路１６は、記録する情報に対し所定の変調方式に応じた変調を行い記録データ信号を生成する。パルス生成回路１７は、光ディスク３に応じた記録パルス波形を生成する。記録パルス波形は、記録マークを形成するマーク期間と記録マークを形成しないスペース期間とを含み、１つの記録マーク形成するために複数のパルスを組み合わせた記録波形を用いる。その際、光ディスク３にはその管理情報として、当該ディスクに適切な記録パルスのコードが記述されており、それを参照して記録パルスを生成することができる。あるいは、装置が独自に調整した記録パルス、もしくは固定の記録パルスを用いてもよい。
【００１８】
レーザパワー制御回路１８は、パルス生成回路１７が生成した記録パルスの各レベルに応じたレーザパワーの設定と制御を行う。その際、レーザパワーもパルス波形と同様に光ディスクに記述されているコードを参照して生成することができる。あるいは、装置が独自に調整した記録パワー、もしくは固定の記録パワーを用いてもよい。
【００１９】
パルス生成回路１７及びレーザパワー制御回路１８は上記のような値を初期値として持ち、ＰＬＬ１３において検出された位相ずれ分をもとに、パルス幅もしくはレーザパワーの補償を行う。レーザ駆動回路１９は、上記のレーザパルス幅及びレーザパワーに従いレーザ光源７を駆動する。その結果、レーザ光源７からは記録パルス信号に従ったレーザ光が発光され、光ディスク３に照射される。
【００２０】
なお、マイコン１５はメモリ２０に記録パルス生成のために必要な情報を保持しておくことができる。例えば光ディスク装置の出荷段階において、検証された記録用パラメータをメモリ２０に格納しておき、記録時にこのパラメータを読み出して設定してもよい。また、光ディスクごとに記録パラメータの情報等を保持しておくこともできる。あるいは光ディスクの案内溝等に当該ディスクの推奨する記録パラメータ情報を埋め込んでおき、光ディスク装置は、装着された光ディスクからこのパラメータを読み出して記録信号処理部に設定することもできる。
【００２１】
情報の再生時は、光ディスク３から読み出された信号は、集光用レンズ８、ビームスプリッタ９を介し、光検出器１０において光から電気信号として出力される。この電気信号は波形等化回路１１に入力され、ＡＣカップリング、信号振幅のレベル調整、そしてノイズ除去のため、所望の周波数帯域の信号を強調して信号成分を効率的に取得する。その後、二値化回路１２は、信号レベルの平均値を基準（スライスレベル）として、二値化処理を行う。ここで得られた二値化信号はＰＬＬ１３において再生クロックに同期して、タイミング補正が行われる。復調回路１４は、二値化信号を復調して情報（再生データ）を復元する。
以下、本発明における記録パルス信号の形態を実施例に分けて説明する。
【実施例１】
【００２２】
図２は、本発明における記録パルス信号の第１の実施例を示す図である。ここでは、クロック信号を基準として標準的な記録データ信号に対する記録パルス信号と記録マークの関係を示している。ここではデータ信号として、２Ｔ，３Ｔ，４Ｔのマーク長とスペース長の場合を示している。データ信号は図１の記録データ生成回路１６により生成され、記録パルス信号はパルス生成回路１７により生成される。光ディスクには、データ信号に対応して記録マーク２０１が形成され、それ以外の部分は記録スペース２０２となる。
【００２３】
データ信号が４Ｔマークの場合、記録パルスにはキャッスル型を採用し、順にトップパルス１０１、バイアスパルス１０２、ラストパルス１０３、及びクーリングパルス１０４の部分から構成されている。
【００２４】
トップパルス１０１は記録マーク２０１の先頭に配置されるパルスであり、レーザパワー制御回路１８により所定の記録パワーＰｗが与えられる。トップパルス１０１は、記録マーク２０１の先端位置を決定する役割を担う。
【００２５】
バイアスパルス１０２はトップパルス１０１に続いて設けられ、記録パワーＰｗよりも低いバイアスパワーＰｍが与えられる。バイアスパルス１０２は、トップパルス１０１によって熱変化を伴った記録膜の温度を保持する役割を担う。トップパルス１０１により形成された記録マークに対し、記録パワーＰｗよりも低いバイアスパワーＰｍを連続的に注入することで、比較的長いマーク長である４Ｔの記録マークを形成する。
【００２６】
ラストパルス１０３はバイアスパルス１０２に続いて設けられ、トップパルス１０１の記録パワーＰｗよりも低く、バイアスパルス１０２のバイアスパワーＰｍよりも高い記録パワーＰｌが与えられる。ラストパルス１０３は、記録マーク２０１の後端位置を決定する役割を担う。そして、その記録パワーＰｌをトップパルス１０１の記録パワーＰｗよりも低くすることで、記録マーク２０１の後端形状の精度を向上させている。
【００２７】
クーリングパルス１０４はラストパルス１０３に続いて設けられ、ほぼ再生パワー相当のボトムパワーＰｂが設定される。クーリングパルス１０４は、記録マーク形成時に温度上昇した記録膜の温度を効果的に抑えることで、不必要に記録マークの広がり（熱の拡散）を低減する効果がある。
【００２８】
また、記録マーク形成以外の領域、すなわちスペース領域２０２では補助的なパワーであるスペースパワーＰｓを与える。スペースパワーＰｓは、ボトムパワーＰｂと同程度かもしくはそれ以上で、バイアスパワーＰｍよりも低い。スペースパワーＰｓは、記録膜に対して熱変質を伴うほどではないが、次の記録マークを形成するための記録パワーＰｗを補助する役割を担っている。
【００２９】
このような記録パルスを用いることによって、記録マークの位置と形状の精度を向上させることができる。
【００３０】
なお、データ信号のマーク長が短い２Ｔ及び３Ｔにおいては、全体のパルス長が短くなるため、キャッスル型の記録パルスではなく、記録パワーＰｗを有するトップパルス１０１のみ、あるいは、トップパルス１０１とこれに続くバイアスパワーＰｍを有するバイアスパルス１０２の２段構成とする。
【００３１】
逆にデータ信号のマーク長が４Ｔよりも長い場合には、記録マーク長に応じてバイアスパルス１０２の長さを調整する。例えば、５Ｔマークにおいては、４Ｔにおけるバイアスパルス１０２の長さに１Ｔ（クロック長）を加えた長さとする。このように記録マーク長に応じてバイアスパルス１０２の長さを１Ｔずつ増減することで、形成される記録マークはそのマーク長によらず精度を維持することができる。
【００３２】
次に、本実施例の記録パルス信号による改善効果を説明する。
光ディスクの記録においては、マルチパルス型やキャッスル型の記録パルスにより記録膜に熱エネルギーを与え、記録膜を変化・変質させることでデータの記録を行う。しかし、光ディスクの記録速度が速くなるに従い記録膜の熱応答速度が追従できず、結果として記録マークに歪が生じ不完全な形状になり易い。こうした現象は、記録速度の高速化のみならず記録密度の高密度化においても同様であり、その原因は記録膜内の蓄熱の現象によるものと考えられる。
こうした蓄熱による記録マークの歪は、熱エネルギーを多く投入する長い記録マークの形成時に顕著に現れる。以下、その一例を説明する。
【００３３】
図３は、高速記録した記録マーク部分の再生波形の例を示し、（ａ）は従来の記録パルスの場合、（ｂ）は本実施例の記録パルスの場合である。記録条件は、ＢＤ−ＲのＬＴＨ（Low To High）ディスクに対し６倍速の記録速度でデータパターンを記録し、その中からマーク長の長い８Ｔ成分の再生信号を抽出したものである。
【００３４】
図３（ａ）は従来のキャッスル型の記録パルスで記録した場合であり、再生波形の振幅レベル３０１ａが記録マーク２０１ａの後端位置で増大している。これは、記録マーク２０１ａの幅が後端において増大したためで、ラストパルスの記録パワーＰｗによる熱蓄積のためマーク形状に歪みが発生したものと考えられる。
【００３５】
図３（ｂ）は本実施例の記録パルスで記録した場合であり、再生波形の振幅レベル３０１ｂが記録マーク２０１ｂの後端位置において増大するのを抑えている。これは、ラストパルスの記録パワーＰｌを低くした結果、熱蓄積を少なくしマーク形状の歪みを改善したものと考えられる。
【００３６】
記録速度が高速化すると、記録波形はパワー変化の少なくかつ熱制御の行いやすい形として、マルチパルス型よりもキャッスル型が有利である。しかしキャッスル型は、記録マークの中間ではバイアスパワーＰｍを連続的に与えるため、記録膜の温度変化の微妙な差異が蓄積していく。その結果、長い記録マークの後部でのマーク形状の歪みが発生しやすくなる。
【００３７】
従来のキャッスル型では、ラストパルスの記録パワーはトップパルスの記録パワーと等しく設定していた。これに対し本実施例では、４倍速、６倍速といった高速記録では、ラストパルスの記録パワーＰｌをトップパルスの記録パワーＰｗよりも低くすることで、記録マーク形状を適正な形状にすることが可能となる。
【００３８】
図４は、高速記録した記録スペース部分の従来の再生波形の例を示す。記録条件は従来のキャッスル型の記録パルスに従い、ＢＤ−ＲのＳＬ（Single Layer）ディスクに対し１０倍速の記録速度でデータパターンを記録し、その中から長い記録マークｘＴ（２１１）とｙＴ（２１５）に挟まれた２Ｔ成分の繰り返し部分（２Ｔスペース（２１２）、２Ｔマーク（２１３）、２Ｔスペース（２１４））の再生信号を抽出したものである。
【００３９】
図４では、２Ｔスペースの再生レベル３１２，３１４が変動し（２Ｔスペース２１２，２１４の長さが短縮し）、誤って「１Ｔスペース」として検出された部分を示す。特に顕著な点として、先行する２Ｔスペース２１２のピークレベル３１２よりも、後行する２Ｔスペース２１４のピークレベル３１４が大きく変化している。この要因は、直前の記録マーク２１１形成時に温度上昇した後、２Ｔスペース２１２，２１４で十分記録膜の温度が下がり切らなかった点である。つまり、直前の記録マーク２１１の熱量が過剰であるためと考えられる。
【００４０】
このような場合にも、記録マーク２１１のラストパルスの記録パワーを低くすることで、２Ｔスペース２１２，２１４では、記録膜の温度は十分に下がり、適正な形状のスペースを形成することができる。このように、記録マーク形成に寄与する最終部のラストパルスのパワーを抑制することで、以降のスペース、マークへの熱的影響を低減し、再生誤りを防止することができる。
以上、本実施例の効果をＢＤ−Ｒディスクを例に説明したが、高速記録を行う他の光ディスクにおいても同様に有効であることは言うまでもない。また本実施例は、記録速度が１０倍速を超える１２倍速やそれ以上の高速化にも対応可能である。
【実施例２】
【００４１】
図５は、本発明における記録パルス信号の第２の実施例を示す図である。記録パルス信号の基本的な構成は実施例１（図２）と同様であるが、異なる点は、キャッスル型記録波形におけるラストパルス１０３の記録パワーＰｌを、バイアスパルス１０２のバイアスパワーＰｍよりも低く設定したことである。
【００４２】
本実施例においても、実施例１と同様に記録マーク形状の安定化、そして後続スペース更にはその先のマークへの熱的な影響を低減することができる。本実施例は実施例１と比較し、より高速に、もしくはより密度を詰めて記録を行う場合に適する方式であり、その記録速度や記録膜の特性に応じて、実施例１と本実施例とを使い分けるのがよい。
【００４３】
なお、３Ｔマークの記録波形は２Ｔマークと同様にトップパルス１０１のみとしたが、これについても記録特性に合わせて実施例１の２段構成の波形を選択してもよい。すなわち、記録速度の高速化に伴い、記録マークだけでなく後続するスペースやマークへの影響が懸念される場合には、図２のように、トップパルス１０１の後半にパワーを下げたバイアスパルス１０２の区間を設けるのがよい。
【実施例３】
【００４４】
図６は、本発明における記録パルス信号の第３の実施例を示す図である。記録パルス信号の基本的な構成は実施例１（図２）と同様であるが、異なる点は、高速記録を狙いとして、クロック長に対する各パルスの長さ（パルス長）をより長く確保したことである。キャッスル型におけるトップパルス１０１やラストパルス１０３のパルス長は、実施例１では約１Ｔであったものを、本実施例では１．２〜１．５Ｔ程度に拡大している。ここでは記録波形として４Ｔマークと５Ｔマークを示すが、パルス長拡大のため、５Ｔマークにおいてキャッスル型を採用したが、４Ｔマークではトップパルス１０１とバイアスパルス１０２の２段構成としている。６Ｔマーク以上では、５Ｔのキャッスル型を基準に拡張し、バイアスパワーＰｍのバイアスパルス１０２の区間をマーク長に応じて１Ｔずつ加えていく形とする。２Ｔ及び３Ｔマークでは全体のパルス長が短くなり、図５と同様に記録パワーＰｗのトップパルス１０１のみとする。
【００４５】
本実施例でも、ラストパルス１０３の記録パワーＰｌをトップパルス１０１の記録パワーＰｗよりも低くして、記録マーク形状の安定化、そして後続スペース更にはその先のマークへの熱的な影響を低減することができる。特に本実施例では、記録パルスの各パルス長を長く設定しているので、高速記録時においても安定した記録パルスを生成することができる。
【実施例４】
【００４６】
前記した各実施例における記録パルスのパラメータ（記録ストラテジー）は、各光ディスクごとにそれぞれ推奨する値を案内溝周期等の管理情報として埋め込んでおくのが望ましい。記述する情報は、トップパルス１０１、バイアスパルス１０２、ラストパルス１０３、クーリングパルス１０４、及びスペース位置におけるパワーと各パルスの長さと位置に関するものである。光ディスク装置は、装着された光ディスクから推奨するパラメータを読み出して記録信号処理部に設定することができる。
【００４７】
図７は、光ディスクに格納する記録パルスのパラメータ情報の一例を示す図である。ここでは記録パルスのパワー値の記述について示している。
キャッスル型記録パルスの場合、従来では、記録パワーＰｗの適正値Ｐｗｏを基準値として、これに対するバイアスパワーＰｍ、ボトムパワーＰｂ（クーリングパワーＰｃともいう）、スペースパワーＰｓの値を比率εで記述していた。
【００４８】
これに対し本実施例においては、キャッスル型記録パルスのトップパルス１０１の記録パワー（もしくは２Ｔマークなどのモノパルスの記録パワー）Ｐｗの適正値Ｐｗｏを基準として、前記各パワーＰｍ，Ｐｂ（Ｐｃ），Ｐｓの他に、キャッスル型記録パルスのラストパルス１０３に対する記録パワーＰｌ（比率εＬ）を追加して記述する。そのため、従来のバイアスパルス部、クーリング部、スペース部の項目の他に、ラストパルス部というように新たな項目を定義する。
【００４９】
このように記録パワーを記述することで、トップパルスとラストパルスの記録パワーを異ならせて設定することができる。このために光ディスクに埋め込まれる情報の増加量はわずかであり、問題にならない。
なお、パラメータ情報の記述は一例であり、ラストパルス部の記録パワーＰｌを基準として、他の部分のパワー値を比率で表し格納してもよい。
【符号の説明】
【００５０】
１…再生信号処理部、
２…記録信号処理部、
３…光ディスク、
４…スピンドルモータ、
６…光ピックアップ、
７…レーザ光源（ＬＤ）、
１０…光検出器、
１５…マイコン、
１６…記録データ生成回路
１７…パルス生成回路、
１８…レーザパワー制御回路、
１９…レーザ駆動回路、
２０…メモリ、
１０１…トップパルス、
１０２…バイアスパルス、
１０３…ラストパルス、
１０４…クーリングパルス、
Ｐｗ，Ｐｌ…記録パワー、
Ｐｍ…バイアスパワー。
【図１】
2012069215.tif 000003
【図２】
2012069215.tif 000004
【図３】
2012069215.tif 000005
【図４】
2012069215.tif 000006
【図５】
2012069215.tif 000007
【図６】
2012069215.tif 000008
【図７】
2012069215.tif 000009